(57)【要約】【課題】、シールド電極へのビーム電流の流れ込み量を低減することによりターゲットへ照射するビーム電流量を増加させて、信号電荷の読み取り能力を向上した電界放出型電子源装置を提供する。【解決手段】電子を放出するエミッタが複数設けられた電子源アレイと、前記電子源アレイから放出された電子ビームにより所定の動作を行う光電変換膜と、前記電子源アレイと前記光電変換膜との間に内壁表面が二次電子放射物質の膜で被覆された複数の貫通孔を持つ電極と、を備えた電界放出型電子源装置。【選択図】図１
2009081017.tif 000002
【特許請求の範囲】
【請求項１】
電子を放出するエミッタが複数設けられた電子源アレイと、
前記電子源アレイから放出された電子ビームにより所定の動作を行う光電変換膜と、
前記電子源アレイと前記光電変換膜との間に内壁表面が二次電子放射物質の膜で被覆された複数の貫通孔を持つ電極と、
を備えた電界放出型電子源装置。
【請求項２】
前記電子源アレイは、電子を放出するエミッタが複数配列されている請求項１に記載の電界放出型電子源装置。
【請求項３】
前記貫通孔に被覆された前記二次電子放射物質の膜の表面に凸凹を施した請求項１に記載の電界放出型電子源装置。
【請求項４】
前記二次電子放射物質が、酸化マグネシウム、酸化ベリリウムのいずれかを含む薄膜であることを特徴とする請求項１に記載の電子源装置。
【請求項５】
前記二次電子放射物質が、酸化マグネシウム、酸化ベリリウムの微粒子であることを特徴とする請求項１に記載の電子源装置。
【請求項６】
前記貫通孔は、開口径よりも長さの方が大きいことを特徴とする請求項１に記載の電子源装置。
【請求項７】
前記電極は、珪素と酸化珪素の積層板からなることを特徴とする請求項１に記載の電子源装置。
【請求項８】
前記複数の貫通孔を有する電極が、多孔質金属からなることを特徴とする請求項１から請求項３に記載の電子源装置。
【請求項９】
前記多孔質金属がニッケルまたは銅からなることを特徴とする請求項５に記載の電子源装置。
【発明の詳細な説明】
【技術分野】
【０００１】
本発明は電界放出型電子源を用いた電界放出型撮像装置に関するものである。
【背景技術】
【０００２】
近年、半導体微細加工技術の進展により、半導体などの基板にミクロンオーダーの微細な冷陰極構造を多数集積化する真空マイクロエレクトロニクス技術が注目を集めている。これらの技術によって得られる微小冷陰極構造を備えた電界放出型電子源アレイは、平面型の電子放出特性や高い電流密度が期待できること、熱陰極とは異なりヒーター等の熱源を必要としないこと等から、低消費電力型の次世代フラットディスプレイ、センサ、平面型撮像装置の電子源として期待が集まっている。
【０００３】
電界放出型電子源アレイを用いた平面型撮像装置の一例として、その基本構成を図７に示す。前面パネル１と、背面パネル２と、側面外周器３とを備え、これらはフリットガラスやインジウム等の封着材料４により固着固定され、その内部が真空に保持されている。前面パネル１の内面には、外部からの入射光を透過する陽極電極５が形成され、その表面にターゲット６として、硫化アンチモン、セレン等からなる光電変換膜が形成されている（例えば、特許文献１参照。）。
【０００４】
背面パネル２の内面には、複数の冷陰極素子（エミッタ）と、各冷陰極素子の周辺に形成された絶縁層及び冷陰極素子から電子を取り出す為の電圧を印加するゲート電極等からなる周辺素子とが集積一体化された電界放出型電子源アレイ７が形成された半導体基板８が設置されている。冷陰極素子から放出された電子ビーム９をターゲット６にランディングさせて、入射光によりターゲット６中で発生・蓄積された信号電荷の空間分布を時系列電気信号として外部に取り出し、ターゲット６上に結像した画像を読み取ることができる。
【０００５】
しかし、冷陰極素子７からは、電子ビームが広がりを持って放出されるため、この構成では、光電変換膜に到達する電子ビームはある程度の広がりを持つことになる。このため、ターゲット６上の隣接する画素の走査面電位の一部もしくは全部をも読み取ることになり、解像度の劣化や偽信号の読み取りが発生するという問題がある。
【０００６】
そこで、電界放出型電子源アレイとターゲットとの間に複数の貫通孔を有するシールド−グリッド電極を配置し、電子ビームの広がりを抑え、解像度を向上する手段が提案されている。電子放出領域からの電子ビームの広がりをシールド−グリッド電極で抑えながらターゲットに蓄積された信号電荷を読み取るので、隣接する画素の電荷読み取りが減少し、高解像度化が実現されている。また光電変換膜中から放出されるガスによる正イオン、余剰電子からエミッタとゲート電極の損傷が防護され、陰極アレイの動作安定、低雑音も実現している（例えば、特許文献２参照。）。
【特許文献１】特開平６−１７６７０４号公報
【特許文献２】特開２０００−４８７４３号公報
【発明の開示】
【発明が解決しようとする課題】
【０００７】
しかしながら、前記従来の構成では、電子源アレイとターゲットとの間にシールド−グリッド電極が存在すると、電子源アレイから放射される電子ビームの大半がシールド−グリッド電極に流れ込むので、ターゲットに到達するビーム電流は大幅に減少する。ターゲットに到達するビーム電流が減ると、ターゲットに蓄積された信号電荷の読み取り能力が低下し、鮮明な画像を撮像することが困難となる。これを補うためには、電子源アレイからの電子放射量を増やし、高いビーム電流量で動作させる必要がある。しかしながら、ゲート電極に高電圧を印加してエミッタに高負荷をかける必要があるため、エミッタ−ゲート電極間での絶縁破壊や電子源の寿命低下を招くという問題を生じる。このため、十分な感度が得られる電子ビームをターゲットへ照射することができないという課題を有していた。
【０００８】
本発明は、前記従来の課題を解決するもので、シールド電極へのビーム電流の流れ込み量を低減することによりターゲットへ照射するビーム電流量を増加させて、信号電荷の読み取り能力を向上した電界放出型電子源装置を提供することを目的とする。
【課題を解決するための手段】
【０００９】
前記従来の課題を解決するために、本発明の電界放出型電子源装置は、電子を放出するエミッタが複数設けられた電子源アレイと、前記電子源アレイから放出された電子ビームにより所定の動作を行う光電変換膜と、前記電子源アレイと前記光電変換膜との間に内壁表面が二次電子放射物質の膜で被覆された複数の貫通孔を持つ電極と、を備えたことを特徴とする。
【発明の効果】
【００１０】
本発明の電界放出型電子源装置によれば、貫通孔側面に電子ビームが衝突することで二次電子放射物質から電子が放射されるとともに、貫通孔側面に衝突した電子と、二次電子放射物質から放出された電子が散乱するので、貫通孔側面への電子の衝突機会が増え、二次電子の増倍率が向上することで、ターゲットへの照射電流が増え、ターゲットの信号電荷の読み取り感度が向上し、鮮明な画像を撮像することができる。
前記二次電子放射物質としては、酸化マグネシウム、酸化ベリリウムのいずれかを含む膜であることが好ましい。これらの物質は二次電子放出比が１を超えるので、貫通孔側面に衝突したビーム電流以上の電流をターゲットに照射させることができる。
【００１１】
また、前記貫通孔は、開口径よりも電子ビーム通過行路の長さの方が大きい、トリミング型電極であることが好ましい。これにより、斜め方向の速度成分を持って貫通孔に入射した電子が貫通孔側面に衝突して、電子ビームの広がりが抑えられ、小さいビーム径の電子ビームをターゲットに照射できるので、画像の解像度が向上するとともに、貫通孔側面への電子の衝突機会が増え、二次電子の増倍率が向上することで、ターゲットへの照射電流が増え、信号電荷の読み取り感度が向上する。
【００１２】
従って、本発明によれば、従来よりも高い電流量の電子ビームをターゲットへ照射することができるので、感度の高い電子源装置を実現することができる。
【発明を実施するための最良の形態】
【００１３】
以下に、本発明の電界放出型電子源装置の実施の形態を図面とともに詳細に説明する。
【００１４】
（実施の形態１）
本発明の第一の実施形態について、図面を用いて説明する。本発明の電界放出型電子源装置の概略図を図１（ａ）に示す。前面パネル１と、背面パネル２と、側面外周器３とを備え、これらはインジウムからなる封着材料４により固着固定され、その内部が真空に保持されている。前面パネル１の内面には、外部からの入射光を透過する陽極電極５が形成され、その表面にターゲット６として、硫化アンチモンからなる光電変換膜が形成されている。
【００１５】
背面パネル２の内面には、陰極基板１０の上に、複数の冷陰極素子（エミッタ）と、各冷陰極素子の周辺に形成された絶縁層及び冷陰極素子から電子を取り出す為の電圧を印加するゲート電極等からなる周辺素子とが集積一体化された電界放出型電子源アレイ７が形成された半導体基板８が設置されている。さらに、陰極基板１０の端部には、複数の貫通孔を有する電極１１が搭載された電極サポート１２が設置されている。
【００１６】
図１（ｂ）に複数の貫通孔を有する電極１１の拡大図を示す。この電極１１は、井桁状の貫通孔１３を持ち、貫通孔の開口径Ｄに対して長さＬが１：５の構造体である。このような構造の電極はトリミング電極と呼ばれる。（以下、この構造体の電極のことをトリミング電極という）
図１（ｃ）にトリミング電極１１の貫通孔の断面図を示す。断面図に示すように、貫通孔の内壁は、凹凸を持った形状となっている。さらに、その表面に、二次電子放射物質として酸化マグネシウムの層１４が形成され、貫通孔の内壁面が凹凸のある酸化マグネシウムの膜で覆われている。トリミング電極１１の貫通孔の側面が、凹凸を持っていることによって、貫通孔に斜め方向に入射した電子９が、貫通孔の側面に衝突して散乱するので、貫通孔の側面に衝突する回数が増え、さらに貫通孔の側面が、酸化マグネシウムの層１４で覆われていることによって、二次電子が放出される回数も増える。この結果、トリミング電極１１からターゲット６へ向かう電流は、トリミング電極１１の貫通孔に入射する電流よりも増加することになる。これにより、ターゲット６に照射される電子ビームが増加し、ターゲット表面の信号電荷の読み取り感度が向上するので、高感度、高コントラストの撮像装置を実現することができる。
【００１７】
更に、トリミング電極１１によって、電子ビームの広がりを抑え、ビーム径を小さくすることができるので、冷陰極素子７から放出された電子ビームをターゲット６にランディングさせて、入射光によりターゲット６中で発生・蓄積された信号電荷の空間分布を時系列電気信号として外部に取り出し、ターゲット６上に結像した画像を読み取る際に、精細な読み取り精度を保つことができ、撮像装置の解像度を向上することができる。
【００１８】
次にトリミング電極１１の作製方法と酸化マグネシウムの層１４の形成方法について説明する。図２（ａ）は、トリミング電極の加工前の状態を示している。加工前のトリミング電極は、複数層の珪素（Ｓｉ）１５と酸化珪素（ＳｉＯ２）１６が重なった積層板となっている。この積層板に対して、エッチング処理を行い、貫通孔を形成していく。なお、エッチング処理は、以下のウエットエッチング工程により行う。
【００１９】
珪素層１５と酸化珪素層１６が重なった積層板において、エッチングをさせない部分の表面に、蒸着等により窒化ケイ素を１００ｎｍの厚さで形成し、マスキング層を形成する。次に、前記積層板を、５０重量％のフッ化水素を含有したエッチング液に浸す。この工程により、マスキング層がない部分の珪素層１５と酸化ケイ素層１６がフッ化水素により侵食されるので、積層板内に貫通孔が形成されていく。この積層板では、珪素層１５と酸化珪素層１６とで、エッチングの速度が多少異なり、酸化珪素層１６がやや早く侵食される。前記エッチング液中で前記積層板を３０分間浸し、エッチング処理を完了させると、図２（ｂ）に示すように、貫通孔の側面は、凹凸のある形状となる。次に、アルキルベンゼンスルホン酸等の剥離液で窒化ケイ素のマスキング層を除去すると、図２（ｂ）に示す、側面に凹凸のある貫通孔を持ったトリミング電極１１が完成する。
【００２０】
複数の貫通孔を形成した積層板に対して、電子ビームが入射する側の貫通孔以外の部分をマスキングし、電子ビームが入射する側の斜め方向からマグネシウムを蒸着・成膜して、貫通孔の側面にマグネシウムの層を形成する。その後、マグネシウムの層を酸化処理し、図２（ｃ）に示すように、貫通孔表面に凹凸を持った酸化マグネシウムの層１４を形成した珪素と酸化珪素の積層板を作製する。この積層板を電極サポート１２に、導電性物質で接着させることにより、トリミング電極１１が完成する。導電性物質で接着させることで、トリミング電極の上面から底面まで一様の電圧を印加することができる。
【００２１】
なお、本実施形態では、トリミング電極の材料として、珪素を主成分とする物質を用いたが、導電性物質であれば、特に材料を選ぶものではない。ただし、真空中で使用する部材であることから、真空中での放出ガスが少ないものが好ましい。また、本実施形態では、二次電子放射物質として酸化マグネシウムを用いたが、酸化ベリリウムを用いた場合でも、同様の効果が得られる。
【００２２】
（実施の形態２）
本発明の第二の実施形態について説明する。第二の実施形態の電界放出型電子源装置の概略図を図３（ａ）に示す。第二の実施形態の電界放出型電子源装置の構成は、複数の貫通孔を有するトリミング電極１７を除いて、図１に示した第一の実施形態と同じである。
図３（ｂ）に貫通孔を有するトリミング電極の断面図を示す。第一の実施形態と異なる点は、材料が多孔質金属からなり、貫通孔の内壁は金属粒子の隙間によって、図３（ｂ）に示すような凹凸を持った形状を有している。また、貫通孔の内壁には、二次電子放射物質として酸化マグネシウムの層１４が形成されている。このトリミング電極１７を用いた場合であっても、貫通孔の側面が凹凸を持っているので、貫通孔に斜め方向に入射した電子が、貫通孔の側面に衝突して散乱し、貫通孔の側面に衝突する回数が増える。さらに貫通孔の側面が、酸化マグネシウムの層１４で覆われていることによって、二次電子が放出される回数も増えるので、トリミング電極１７からターゲット６へ向かう電流は、トリミング電極１７の貫通孔に入射する電流よりも増加することになる。これにより、ターゲット６に照射される電子ビームが増加し、ターゲット表面の信号電荷の読み取り感度が向上するので、高感度、高コントラストの撮像装置を実現することができる。
【００２３】
次に、トリミング電極１７の作製方法について説明する。図４（ａ）に示した多孔質ニッケルの板１８に、エッチング処理を行い、貫通孔を形成していく。多孔質ニッケルは、ニッケルの粒子が焼結したものであり、内部には、粒子の間に隙間がある。多孔質ニッケルの板１８のニッケル粒子は、主に球形状の粒子でできており、それらの粒子径は１．８μｍから４．７μｍの範囲にあって、平均粒子径は３．０μｍである。なお、図４（ａ）の多孔質ニッケルの板では、説明を簡単にするために、同一粒子径のものが規則正しく並んでいるものを記載している。貫通孔を形成すると、図４（ｂ）に示したように、貫通孔の側面は、平均で１．５μｍ程度の凹凸を持った形状となる。
【００２４】
多孔質ニッケルの板１８のエッチング処理は、以下のウエットエッチング工程により行う。多孔質ニッケルの板１８において、エッチングをさせない部分の表面に、蒸着等により窒化ケイ素を１００ｎｍの厚さで形成し、マスキング層を形成する。次に、多孔質ニッケルの板１８を、１０重量％の硝酸を含有したエッチング液に浸す。この工程により、マスキング層がない部分のニッケルが硝酸により侵食されるので、多孔質ニッケル内に貫通孔が形成されていく。前記エッチング液中で多孔質ニッケルの板１８を２時間浸し、エッチング処理を完了させると、図４（ｂ）に示すように、貫通孔の側面は、平均で１．５μｍ程度の凹凸のある形状となる。最後に、アルキルベンゼンスルホン酸等の剥離液で窒化ケイ素のマスキング層を除去すると、図４（ｂ）に示す、側面に凹凸のある貫通孔を持ったトリミング電極１７が完成する。
【００２５】
複数の貫通孔を形成した多孔質ニッケルの板に対して、電子ビームが入射する側の貫通孔以外の部分をマスキングし、電子ビームが入射する側の斜め方向からマグネシウムを蒸着・成膜して、貫通孔の側面にマグネシウムの層を形成する。その後、マグネシウムの層を酸化処理し、図４（ｃ）に示すように、貫通孔表面に凹凸を持った酸化マグネシウムの層１４を形成した多孔質ニッケルの板を作製する。この多孔質ニッケルの板を電極サポート１２に、導電性物質で接着させることにより、トリミング電極１７が完成する。
【００２６】
なお、第二の実施形態では、トリミング電極の材料として、多孔質ニッケルを用いたが、導電性のある多孔質物質であれば、特に材料を選ぶものではない。ただし、真空中で使用する部材であることから、真空中での放出ガスが少ないものが好ましく、かつマグネシウムの酸化工程において酸化されないことが必要であるので、多孔質金属としては、ニッケルか銅が好ましい。
【００２７】
（実施の形態３）
本発明の第三の実施形態について、図面を用いて説明する。本発明の電界放出型電子源装置の概略図を図５（ａ）に示す。第三の実施形態の電界放出型電子源装置の構成は、複数の貫通孔を有するトリミング電極１９を除いて、図１に示した第一の実施形態と同じである。
【００２８】
図５（ｂ）に貫通孔を有するトリミング電極部の拡大断面図を示す。第三の実施形態におけるトリミング電極１９は、第一の実施形態におけるトリミング電極１１と同様に、井桁状の貫通孔を持ち、貫通孔の開口径Ｄに対して長さＬが１：５の構造体である。第三の実施形態におけるトリミング電極１９の貫通孔の側面は、平面の電極基体上に、二次電子放射物質として酸化マグネシウムの微粒子の層２０を形成することにより、凹凸を持った形状となっている。
【００２９】
このトリミング電極１９を用いた場合であっても、貫通孔の側面が酸化マグネシウムの微粒子によって凹凸を形成しているので、貫通孔に斜め方向に入射した電子が、貫通孔の側面に衝突して散乱し、貫通孔の側面に衝突する回数が増える。同時に、酸化マグネシウムの微粒子が二次電子を放出するので、ターゲット６へ向かう電流は、トリミング電極１９の貫通孔に入射する電流よりも増加することになる。これにより、第一の実施形態と同様に、ターゲット６に照射される電子ビームが増加し、ターゲット表面の信号電荷の読み取り感度が向上するので、高感度、高コントラストの撮像装置を実現することができる。
【００３０】
次にトリミング電極１９の作製方法と酸化マグネシウムの微粒子の層２０の形成方法について説明する。図６（ａ）は、トリミング電極の加工前の状態を示している。加工前のトリミング電極は、珪素の単一基板２１となっている。この珪素基板２１に対して、エッチング処理を行い、貫通孔を形成していく。
【００３１】
なお、エッチング処理は、以下のウエットエッチング工程により行う。珪素基板２１において、エッチングをさせない部分の表面に、蒸着等により窒化ケイ素を１００ｎｍの厚さで形成し、マスキング層を形成する。次に、珪素基板２１を、３０重量％の水酸化カリウムを含有したエッチング液に浸す。この工程により、マスキング層がない部分の珪素が水酸化カリウムにより侵食されるので、珪素基板内に貫通孔が形成されていく。前記エッチング液中で珪素基板２１を３０分間浸し、エッチング処理を完了させると、図６（ｂ）に示すように、側面が平面形状の貫通孔が形成される。次に、アルキルベンゼンスルホン酸等の剥離液で窒化ケイ素のマスキング層を除去し、複数の貫通孔を持った珪素基板２１を製造する。
【００３２】
次に、複数の貫通孔を形成した珪素基板２１に対して、高分散溶媒と粒子径1μｍ以下の酸化マグネシウムの微粒子を混合した混合液に浸し、珪素基板に電荷を与えて、珪素基板の表面に厚さ２μｍ程度の酸化マグネシウムの微粒子の層２０を電着・形成する。次に、珪素基板の表面と裏面の酸化マグネシウムの微粒子層を除去し、珪素基板の貫通孔の側面のみに酸化マグネシウムの微粒子層２０を残すことによって、図６（ｃ）に示すように、貫通孔表面に酸化マグネシウムの微粒子層２０を形成した珪素基板を作製する。この珪素基板を図５（ａ）に示す電極サポート１２に、導電性物質で接着させることにより、トリミング電極１９が完成する。
【００３３】
なお、第三の実施形態では、トリミング電極の材料として、珪素を用いたが、導電性物質であれば特に材料を選ぶものではないことは、第一の実施形態の場合と同様である。また、トリミング電極の貫通孔の側面には酸化マグネシウムの微粒子の層を形成したが、酸化ベリリウムの微粒子の層を形成しても同様の効果が得られる。また、第三の実施形態では、酸化マグネシウムの微粒子の層の形成方法として電着法を用いたが、特に形成方法を限定するものではなく、例えば、スラリー塗布法を用いても酸化マグネシウムの微粒子の層の形成することができる。
【産業上の利用可能性】
【００３４】
本発明の利用分野は、電界放出型電子源撮像装置として、特に暗視カメラ等の高感度・高解像度の撮像装置として利用することができる。
【図面の簡単な説明】
【００３５】
【図１】本発明の実施の形態１にかかる電界放出型電子源装置の断面図
【図２】本発明の実施の形態１にかかる電界放出型電子源装置に使用されるトリミング電極の作成方法を示す図
【図３】本発明の実施の形態２にかかる電界放出型電子源装置の断面図
【図４】本発明の実施の形態２にかかる電界放出型電子源装置に使用されるトリミング電極の作成方法を示す図
【図５】本発明の実施の形態３にかかる電界放出型電子源装置の断面図
【図６】本発明の実施の形態３にかかる電界放出型電子源装置に使用されるトリミング電極の作成方法を示す図
【図７】従来の電界放出型電子源アレイを用いた電界放出型電子源装置の断面図
【符号の説明】
【００３６】
１  前面パネル
２  背面パネル
３  側面外周器
４  封着部材
５  陽極電極
６  ターゲット
７  電界放出型電子源アレイ
８  半導体基板
９  電子ビーム
１０  陰極基板
１１  トリミング電極
１２  電極サポート
１３  貫通孔
１４  酸化マグネシウムの層
１５  珪素の層
１６  酸化珪素の層
１７  トリミング電極
１８  多孔質ニッケルの板
１９  トリミング電極
２０  酸化マグネシウムの微粒子の層
２１  珪素基板
【図１】
2009081017.tif 000003
【図２】
2009081017.tif 000004
【図３】
2009081017.tif 000005
【図４】
2009081017.tif 000006
【図５】
2009081017.tif 000007
【図６】
2009081017.tif 000008
【図７】
2009081017.tif 000009